(57)【要約】【課題】  茎や根の太さにかかわらず、雑草を容易に引き抜いて除去する雑草除去具を提供する。【解決手段】  雑草除去具は、一対の鋏刃体１，２と、これら一対の鋏刃体１，２が交差した状態で当該鋏刃体１，２を枢支する回動軸３と、一対の鋏刃体１，２を互いに開動作させる方向へ付勢するバネ等の弾性部材４とを有して構成される。刃部１１，２１には、丸波・薄板状の突片１３，２３が刃部１１，２１の長さ方向に複数連続的にそれぞれ設けられている。突片１３，２３の幅Ｗは先端側から基端側へ行くにしたがって大きくなるよう形成されている。【選択図】        図１
2013162770.tif 000002
【特許請求の範囲】
【請求項１】
先端側に雑草を挟持する刃部、基端側に柄部をそれぞれ設けた一対の鋏刃体を回動軸により互いに開閉可能に支持する雑草除去具であって、
前記一対の刃部は、閉じた状態で互いに嵌合する半円薄板状の突片を、全体で丸波形状をなすように連続的に複数有し、
前記複数の突片には、前記鋏刃体の長さ方向の幅が互いに異なる複数種類の突片が含まれることを特徴とする雑草除去具。
【請求項２】
前記複数の突片は、前記先端側から前記基端側にかけて前記鋏刃体の長さ方向の幅が段階的に大きく構成されていることを特徴とする請求項１記載の雑草除去具。
【請求項３】
前記刃部の軸線方向・前記先端側視において、前記両刃部は、前記鋏刃体の厚み方向に対し、所定角度傾斜して嵌合することを特徴とする請求項１又は２記載の雑草除去具。
【請求項４】
前記両柄部の間に前記一対の鋏刃体を互いに開放する方向へ付勢する弾性部材を有することを特徴とする請求項１から３のいずれか１項に記載の雑草除去具。
【請求項５】
前記一対の鋏刃体の一方は、前記鋏刃体の厚み方向に突起を有するとともに、
前記一対の鋏刃体の他方は、前記突起が突入する長穴部を有し、
前記突起が前記弾性部材による付勢により前記長穴部を摺動するとともに、該長穴部の内縁に当接して、前記一対の鋏刃体が所定以上開くことを規制することを特徴とする請求項４記載の雑草除去具。
【発明の詳細な説明】
【技術分野】
【０００１】
本発明は、雑草除去具に関し、特に、雑草の茎や根を挟持して引き抜く雑草除去具に関する。
【背景技術】
【０００２】
農業、園芸、造園等の分野において雑草の除去は常に頭の痛い問題となっていた。
この雑草を従来は手で引き抜いたり、バール型の雑草除去具で引っ掛けて引き抜いたりしていたが、完全に除去するのは困難であった。特に、小さくて柔らかい雑草は、引き抜こうとしたときに根や茎をしっかりと把持できず除去が困難であった。
【０００３】
上記のような問題を解決するために特許文献１が開示するところのハサミの刃部を歯型形状部にした草取り具が提案されている。
この特許文献１に開示の草取り具は、鋏の刃部を歯型形状部にしたものである。
その二枚の刃体は先端部を除き、お互いに向き合わずに通常の鋏のようにすれ違い軌道を移動するとともに、その先端部を除いた部分にはすき間が形成されている。
特許文献１には、草取り具が上記のように構成されていることから、雑草の葉、茎、根を切らずにしっかりと鋏むことができると記載されている。
【先行技術文献】
【特許文献】
【０００４】
【特許文献１】特開２０１１−８３２６８
【発明の概要】
【発明が解決しようとする課題】
【０００５】
しかしながら、上記特許文献１に開示の草取り具には、上記の如く構成されているのにもかかわらず、雑草を完全に除去するのが困難であるという問題点がある。
すなわち、特許文献１に開示の草取り具を用いて、茎や根の細い雑草を除去しようとする場合、上記刃体間に生じたすき間によりその雑草の茎や根をしっかりと鋏むことが困難であり、すり抜けてしまうという問題が生じる。
また、当該特許文献１に開示の草取り具の二枚の刃体は互いに向き合わずすれ違い軌道で移動することから、茎や根の太い雑草を除去しようとすると、その茎や根をしっかりと把持することができずに除去できない上に、刃が捻じれてしまうという問題が生じる。
また、このように、特許文献１に開示の草取り具は、通常の鋏のように刃体がすれ違い軌道で移動するので、誤って雑草の茎や根を切断し、雑草の引き抜きに失敗してしまうおそれがある。
【０００６】
本発明は、上記問題点に鑑みてなされたものであり、茎や根の太さにかかわらず、雑草を容易に引き抜いて除去する雑草除去具を提供することを目的とする。
【課題を解決するための手段】
【０００７】
かかる目的を達成するため、本発明は、先端側に雑草を挟持する刃部、基端側に柄部をそれぞれ設けた一対の鋏刃体を回動軸により互いに開閉可能に支持する雑草除去具であって、一対の刃部は、閉じた状態で互いに嵌合する半円薄板状の突片を、全体で丸波形状をなすように連続的に複数有し、複数の突片には、鋏刃体の長さ方向の幅が互いに異なる複数種類の突片が含まれることを特徴とする。
【０００８】
また、本発明における雑草除去具によれば、複数の突片は、先端側から基端側にかけて鋏刃体の長さ方向の幅が段階的に大きく構成されていることを特徴とする。
【０００９】
また、本発明における雑草除去具によれば、刃部の軸線方向・先端側視において、両刃部は、鋏刃体の厚み方向に対し、所定角度傾斜して嵌合することを特徴とする。
【００１０】
また、本発明における雑草除去具によれば、両柄部の間に一対の鋏刃体を互いに開放する方向へ付勢する弾性部材を有することを特徴とする。
【００１１】
また、本発明における雑草除去具によれば、一対の鋏刃体の一方は、鋏刃体の厚み方向に突起を有するとともに、一対の鋏刃体の他方は、突起が突入する長穴部を有し、突起が弾性部材による付勢により長穴部を摺動するとともに、長穴部の内縁に当接して、一対の鋏刃体が所定以上開くことを規制することを特徴とする。
【発明の効果】
【００１２】
本発明における雑草除去具は、先端側に雑草を挟持する刃部、基端側に柄部をそれぞれ設けた一対の鋏刃体を回動軸により互いに開閉可能に支持して構成され、その刃部は、鋏刃体が閉じた状態で互いに嵌合する半円薄板状の突片を、全体で丸波形状をなすように連続的に複数有し、複数の突片には、鋏刃体の長さ方向の幅が互いに異なる複数種類の突片が含まれるので、あらゆる太さの茎や根の雑草を容易に挟持し、引き抜くことが可能となっている。
【図面の簡単な説明】
【００１３】
【図１】本発明の実施の形態における雑草除去具の先端が開いた状態を示す側面図である。
【図２】本発明の実施の形態における雑草除去具の先端が閉じた状態を示している側面図である。
【図３】本発明の実施の形態における雑草除去具の上面図である。
【図４】本発明の実施の形態における雑草除去具の刃部の拡大図であり、（ａ）は刃部の正面図、（ｂ）は刃部の側面図、（ｃ）は刃部が閉じた状態の正面図、（ｄ）は刃部が閉じた状態の側面図、（ｅ）は（ｄ）のＡ−Ａ’断面正面図、（ｆ）は（ｄ）のＢ−Ｂ’断面正面図である。
【図５】本発明の実施の形態における雑草除去具の使用状態を示す図である。
【発明を実施するための形態】
【００１４】
＜構成＞
図１〜３は、本発明の実施の形態における雑草除去具を示す図であって、図１はその先端が開いた状態を示す側面図、図２は閉じた状態を示している側面図、図３は上面図である。
図に示すように、本実施の形態における雑草除去具は、一対の鋏刃体１，２と、これら一対の鋏刃体１，２が交差した状態で当該鋏刃体１，２を枢支する回動軸３と、一対の鋏刃体１，２を互いに開動作させる方向へ付勢するバネ等の弾性部材４とを有して構成される。
上記鋏刃体１は先端側に刃部１１を基端側に柄部１２をそれぞれ有して構成される。
また、上記鋏刃体２は先端側に刃部２１を基端側に柄部２２をそれぞれ有して構成される。
【００１５】
略Ｌ字状の鋏刃体１，２の先端側には、雑草を引き抜くときに茎の根元や根を挟持する刃部１１，２１がそれぞれ設けられている。例えば、これら刃部１１，２１はステンレスや鉄等の鋼製で一体に成型されている。
図に示すように、これら刃部１１，２１を閉じたときには、通常の鋏のようにすれ違わずに、ペンチのように噛み合わさって雑草の茎や根を挟持する。
また、これら刃部１１，２１の厚さは１〜２ｍｍ程度と薄く形成されているので、仮に刃部１１，２１の間に小石等があっても、刃部１１，２１を閉じたときに自然に刃部１１，２１間から小石等がはずれるようになっている。
【００１６】
この刃部１１，２１には、丸波・薄板状の突片１３，２３が刃部１１，２１の長さ方向に複数連続的にそれぞれ設けられている。鋏刃体１，２が閉じた状態では、側面側から見て、これら突片１３，２３が互いに凹凸がすき間なく噛合した状態となり、雑草の茎や根をしっかりと挟持することが可能となっている。
【００１７】
また、略Ｌ字状の鋏刃体１，２の基端側（先端側の他端側）には、手のひらで握持可能に構成される柄部１２，２２がそれぞれ設けられている。例えば、これら柄部１２，２２は、樹脂等で構成されている。
この柄部１２（柄部２２）の長さ方向の軸線と、刃部１１（刃部２１）の長さ方向の軸線とのなす角α（角β）は、例えば７０°〜１５０°程度の角度をなしている。
このように、鋏刃体１，２が所定角度で屈曲した略Ｌ字形状をなしているので、雑草除去具の使用者は、刃部１１，２１で雑草の茎や根を挟持しやすい。これに対し、上記の所定角度から外れた場合、すなわち、これは７０°未満又は１５０°より大きな角度であると、力が効果的に刃先に作用できずに、刃先が閉じない程度に柄部１２，２２を軽く握持したまま刃部１１，２１を土中に差し込んで根を挟持したり、茎の根元部分を挟持したりし辛い。
【００１８】
また、図に示すように、刃部１１の回動軸３よりも先端側の位置には、刃部１１（鋏刃体１）の厚さ方向（刃部１１の長さ方向に対して略垂直な方向に）に突起５が設けられている。この突起５は刃部１１本体に固定されている軸部分５ａと先端部分５ｂとを有している。その先端部分５ｂは軸部分５ａよりも若干大きく形成されており、突起５が長穴部６から脱離しないよう構成されている。
一方、刃部２１における上記突起５に対応する位置には、当該突起５が突入される長穴部６が設けられている。
突起５の軸部分は、その長穴部６の内縁に沿って摺動する。
【００１９】
また、図に示すように、柄部１２，２２間には、バネなどの弾性部材４が設けられている。この弾性部材４は柄部１２，２２に対しそれぞれ外側に付勢する（鋏刃体１，２が開く方向に付勢する）。
一方で、上述の通り、鋏刃体１，２が開くと、突起５が長穴部６の内縁に当接して所定以上開くのを規制する。
このように、常に、ユーザが何ら力を加えることなく、雑草除去具の刃先を土中に差し込み易く、雑草の茎や根を挟持し易い程度に鋏刃体１，２が開くように雑草除去具は構成されている。
【００２０】
また、回動軸３に加え、突起５及び長穴部６において、鋏刃体１，２を２箇所で軸着しているので、鋏刃体１，２の刃先がねじれや厚さ方向に鋏刃体１，２が開いてしまうのを防ぎ、鋏刃体１，２のガタツキをなくし、雑草除去具全体の強度を効果的に補強することが可能となっている。
【００２１】
図４は、本発明の実施の形態における雑草除去具の刃部１１，２１の拡大図であり、（ａ）は刃部２１の正面図、（ｂ）は刃部２１の側面図、（ｃ）は刃部１１，２１が閉じた状態の正面図、（ｄ）は刃部１１，２１が閉じた状態の側面図、（ｅ）は（ｄ）のＡ−Ａ’断面正面図、（ｆ）は（ｄ）のＢ−Ｂ’断面正面図である。
【００２２】
（ａ），（ｃ），（ｅ），（ｆ）に示すように、刃部１１，２１において、各突片１３，２３の刃面は、正面から見て、一部が幅方向の軸線に対して水平に形成されており（水平刃部）、一部が幅方向の軸線に対して所定角度γ傾斜して形成されている（傾斜刃部）。
一方、刃部１１，２１の谷部における刃面は全体的に幅方向の軸線に対して水平に形成されている（水平刃部）。
鋏刃体１，２が閉じたときは、刃部１１，２１はこれら突片１３，２３及び谷部の水平刃部の刃面同士が互いに当接し合って雑草の茎や根をしっかりと挟持する。
【００２３】
上記の傾斜角度γは、例えば３０°〜８０°程度である。
その理由は、傾斜角度γが３０°未満の場合（幅方向に対し平行に近い場合）には、雑草が脱抜しやすくなってしまうからである。一方、傾斜角度γが８０°よりも大きいと、通常の鋏のように両刃部１１，２１がすれ違うようになり、雑草の茎や根を切断してしまうおそれがあるからである。
また、このように刃部１１，２１の突片１３，２３の刃面に傾斜を設けているので、刃部１１，２１間に小石等があったとしても、刃部１１，２１を閉じたときにその小石等が容易にはずれるようになっている。
【００２４】
また、（ｂ），（ｄ）に示すように、刃部１１，２１には略半円薄板状の突片１３，２３が刃部１１，２１の長さ方向に連続的に設けられ、全体で丸波状を形成している。その突片１３，２３の幅Ｗは先端側から基端側へ行くにしたがって大きくなるよう形成されている。
【００２５】
なお、図に示すように、上記幅Ｗとは、全体で丸波状を形成する突片１３，２３間に形成される谷部における最小変位の点間の長さをいう。
この幅Ｗは小さいもので４ｍｍ程度、大きなもので１０ｍｍ程度である。４ｍｍよりも小さいと、突片１３，２３間が狭くなって突片１３，２３の間から小石等が抜け出辛くなる。一方、１０ｍｍより大きいと茎や根を挟持し辛くなる。
【００２６】
上記のように、刃部１１，２１には幅の異なる複数の突片１３，２３が設けられているので、様々な太さの雑草の茎や根を切断することなくしっかりと挟持し、雑草を容易に引き抜くことが可能となっている。
すなわち、幅の大きい突片１３，２３のみだと細い茎や根の雑草を挟持し辛く、幅の小さい突片１３，２３のみだと太い茎や根の雑草を切断してしまったり、滑って挟持し辛くなったりすることから、本実施の形態における雑草除去具の刃部１１，２１には、大小様々な幅の突片１３，２３を設けられ、細い茎や根に対しては小さな突片１３，２３で、太い茎や根に対しては大きな突片１３，２３で挟持でき、様々な太さの茎や根の雑草を容易に引き抜くことが可能となっている。
【００２７】
また、各突片１３，２３は、略半円薄板状に形成されているので、例えば通常の鋸刃のような三角状と比べて、各突片１３，２３間に小石や土が引っ掛かりにくく、雑草のみをしっかりと挟持できるようになっている。
【００２８】
＜使用方法＞
図５は、本発明の実施の形態における雑草除去具の使用状態を示す図である。
図に示すように、ユーザは、柄部２２に手のひら及び親指を当て、柄部１２に親指以外の指を掛けるように雑草除去具を弾性部材４が収縮しない程度に軽く握持することにより、土中に刃部１１，２１の刃先を差し込むときに、その差し込む方向に容易に力を加えることができる。
土中に刃部１１，２１を差し込んで刃部１１，２１間に雑草の茎や根を挟入した後で、弾性部材４が収縮するように握って、雑草の茎又は根をしっかりと挟持することにより、雑草を根ごと容易に引き抜くことができる。
【００２９】
また、刃部１１，２１を土中に差し込んで刃先を横に倒し（突片１３，２３の丸波形状が上を向くように）土を起こすようにして、雑草の根付近の土を除去することにより、小石等を挟まずに、根だけをしっかりと挟持することができるようになる。
【００３０】
また、刃部１１，２１が薄く形成されているので、土中だけでなく、コンクリートのすき間やクラックに刃先を差し込んで雑草を容易に引き抜くこともできる。
【００３１】
＜実施の形態のまとめ＞
以上説明したように、本実施の形態における雑草除去具は、刃部１１，２１において長さ方向に略半円薄板状の突片１３，２３が連続的に複数設けられて全体的に丸波形状を形成し、それら複数の突片１３，２３の上記長さ方向の幅が互いに異なるよう構成されているので、あらゆる太さの茎や根の雑草を容易に挟持し、引き抜くことが可能となっている。
【００３２】
また、本実施の形態における雑草除去具によれば、刃部１１，２１は、突片１３，２３及び谷部の水平刃部同士が当接するように雑草の茎や根を挟持するとともに、上記突片１３，２３の刃面の一部（傾斜刃部）は鋏刃体１，２の厚み方向に対し、傾斜角度γ（例えば３０°〜８０°程度）傾斜して形成されているので、雑草の茎や根をしっかりと挟持することができるとともに、小石等を刃部１１，２１間から容易に外すことが可能となっている。
【００３３】
また、本実施の形態における雑草除去具によれば、刃部１１，２１の厚さは１〜２ｍｍ程度と薄く形成され、仮に刃部１１，２１の間に小石等があっても、刃部１１，２１を閉じたときに自然に刃部１１，２１間から小石等がはずれるようになっている。
【００３４】
また、本実施の形態における雑草除去具によれば、両柄部１２，２２の間に一対の鋏刃体１，２を互いに開放する方向へ付勢する弾性部材４を有するとともに、一定以上鋏刃体１，２が開かないように規制する突起５及び長穴部６を有するので、ユーザは何ら力を加えることなく、刃部１１，２１の刃先を土中に差し込み易く、かつ雑草の茎や根を挟み込み易い程度に刃部１１，２１の刃先を開いた状態にすることが可能となっている。
【００３５】
また、本実施の形態における雑草除去具によれば、回動軸３に加え、突起５及び長穴部６において、鋏刃体１，２を２箇所で軸着しているので、鋏刃体１，２の刃先がねじれや厚さ方向に鋏刃体１，２が開いてしまうのを防ぎ、鋏刃体１，２のガタツキをなくし、雑草除去具全体の強度を効果的に補強することが可能となっている。
【００３６】
なお、上記の実施の形態は本発明の好適な実施の一形態であり、本発明の実施の形態は、これに限定されるものではなく、本発明の要旨を逸脱しない範囲において種々変形して実施することが可能となる。
例えば、鋏刃体１，２、回動軸３、弾性部材４、突起５又は長穴部６等の形態、構造、材質等は適宜変更して設計される。
【００３７】
また、本実施の形態では、刃部１１，２１に設けられる突片１３，２３の幅Ｗは、先端側から基端側へいくにつれて段階的に大きく構成されていたが、反対に段階的に小さく構成されていてもよいし、幅Ｗの大きい突片１３，２３、小さい突片１３，２３がランダムに設けられてもよい。
【００３８】
また、本実施の形態のように、柄部１２，２２は刃部１１，２１と角度α，β屈曲して略Ｌ字形状をなすことが好ましいが、通常の鋏や剪定鋏のように屈曲しないで構成するようにしてもよい。
【符号の説明】
【００３９】
１，２    鋏刃体
３    回動軸
４    弾性部材
５    突起
５ａ    軸部分
５ｂ    先端部分
６    長穴部
１１，２１    刃部
１２，２２    柄部
１３，２３    突片
【図１】
2013162770.tif 000003
【図２】
2013162770.tif 000004
【図３】
2013162770.tif 000005
【図４】
2013162770.tif 000006
【図５】
2013162770.tif 000007